(57)【要約】【課題】電線からの振動を吸収して端子の摩耗を防止することが可能な非防水コネクタ付きワイヤーハーネスを提供する。【解決手段】雌コネクタハウジング１０に端子付き電線３の雌端子３１が収容される端子収容室１３と端子付き電線３の電線３２を導出する電線導出部１４が設けられている非防水コネクタ２に、端子付き電線３が装着され、雌コネクタハウジング１０の外部の電線３２の周囲にテープ巻き４０が施され、電線のテープ巻き４０が雌コネクタハウジング１０の電線導出部１４側の端部まで延長してハウジング部のテープ巻き４１を施して非防水コネクタ付きワイヤーハーネスを構成した。【選択図】図１
2014203607.tif 000002
【特許請求の範囲】
【請求項１】
コネクタハウジングに端子付き電線の端子が収容される端子収容室と端子付き電線の電線を導出する電線導出部が設けられている非防水コネクタに、端子付き電線が装着されているワイヤーハーネスであって、
前記コネクタハウジングの外部の電線の周囲にテープ巻きが施され、前記電線のテープ巻きが前記コネクタハウジングの電線導出部側の端部まで延長されていることを特徴とする非防水コネクタ付きワイヤーハーネス。
【請求項２】
前記防水コネクタが雄コネクタハウジングと雌コネクタハウジングの嵌合型コネクタであることを特徴とする請求項１記載の非防水コネクタ付きワイヤーハーネス。
【請求項３】
前記雌コネクタハウジングに端子付き電線が装着され該雌コネクタハウジングの端部に電線のテープ巻きが延長されていることを特徴とする請求項２記載の非防水コネクタ付きワイヤーハーネス。
【請求項４】
前記雄コネクタハウジングに端子付き電線が装着され、前記雄コネクタハウジングの端部に電線のテープ巻きが延長されていることを特徴とする請求項２又は３記載の非防水コネクタ付きワイヤーハーネス。
【発明の詳細な説明】
【技術分野】
【０００１】
本発明は、非防水コネクタ付きワイヤーハーネスに関するものである。
【背景技術】
【０００２】
自動車に搭載されて電線接続部等に使用されるコネクタとして、水のかかる虞があるところで使用される防水コネクタや、主に室内で使用される非防水コネクタ等が公知である（非防水コネクタとしては、例えば特許文献１参照）。非防水コネクタに端子付き電線を装着することで、非防水コネクタ付きワイヤーハーネスとして構成される。
【先行技術文献】
【特許文献】
【０００３】
【特許文献１】特開２０１１−４８９９５号公報
【発明の概要】
【発明が解決しようとする課題】
【０００４】
自動車に搭載されるコネクタは、耐振動性が要求される。コネクタに振動が加わると、雄端子と雌端子が嵌合する型式のコネクタでは、端子間で相対的な動きが発生し、端子の接点部が摩耗するという問題があった。
【０００５】
このような振動による端子の摩耗を防止するために、例えば、防水コネクタを用いるワイヤーハーネスの場合には、防水のためにコネクタの電線挿入口に装着されるゴム栓を利用することが可能である。防水コネクタでは電線挿入口の電線の周囲をゴム栓が被覆している。防水コネクタでは、電線から伝わる振動がゴム栓を介してハウジングに伝わることになる。ゴム栓を付けた防水コネクタでは、電線から直接端子に入力される振動を低減することが可能である
【０００６】
しかしながら、非防水コネクタは、防水のためのゴム栓を装着するものではない。防水コネクタのようにゴム栓により電線からコネクタに伝わる振動を吸収することができないという問題があった。
【０００７】
非防水コネクタでは、電線からの振動を吸収できないと、電線からの振動が端子に直接入力されてしまう。端子に電線からの振動が直接入力されると、端子間の相対的な動きによる接点部の摩耗が大きくなってしまうという問題があった。
【０００８】
本発明は、上記従来技術の欠点を解決しようとするものであり、電線からの振動を吸収して端子の摩耗を防止することが可能な非防水コネクタ付きワイヤーハーネスを提供することを課題とする。
【課題を解決するための手段】
【０００９】
上記課題を解決するために本発明の非防水コネクタ付きワイヤーハーネスは、
コネクタハウジングに端子付き電線の端子が収容される端子収容室と端子付き電線の電線を導出する電線導出部が設けられている非防水コネクタに、端子付き電線が装着されているワイヤーハーネスであって、
前記コネクタハウジングの外部の電線の周囲にテープ巻きが施され、前記電線のテープ巻きが前記コネクタハウジングの電線導出部側の端部まで延長されていることを要旨とするものである。
【００１０】
上記コネクタ付きワイヤーハーネスにおいて、前記防水コネクタが雄コネクタハウジングと雌コネクタハウジングの嵌合型コネクタであることが好ましい。
【００１１】
上記コネクタ付きワイヤーハーネスにおいて、前記雌コネクタハウジングに端子付き電線が装着され該雌コネクタハウジングの端部に電線のテープ巻きが延長されていることが好ましい。
【００１２】
上記コネクタ付きワイヤーハーネスにおいて、前記雄コネクタハウジングに端子付き電線が装着され、前記雄コネクタハウジングの端部に電線のテープ巻きが延長されていることが好ましい。
【発明の効果】
【００１３】
本発明の非防水コネクタ付きワイヤーハーネスは、コネクタハウジングの外部の電線の周囲にテープ巻きが施され、電線のテープ巻きが前記コネクタハウジングの電線導出部側の端部まで延長されている構成を採用したことにより、防水用ゴム栓を使用しない非防水コネクタを用いた場合であっても、ゴム栓等を使用せずに電線からの振動をコネクタハウジング側に吸収させて、端子側に直接入力される振動を低減させて、端子接触部の摩耗を防止することが可能である。
【図面の簡単な説明】
【００１４】
【図１】図１は本発明ワイヤーハーネスの一例を示し、電線と非防水コネクタの接続部分を示す部分断面図である。
【図２】図２は本発明ワイヤーハーネスに用いる非防水コネクタの一例を示す分解斜視図である。
【図３】図３は雌コネクタハウジングにテープ巻きがなされていない状態のワイヤーハーネスを示す図である。
【図４】図４は振動耐久試験の説明図である。
【発明を実施するための形態】
【００１５】
以下、図面を用いて本発明の実施形態について詳細に説明する。図１は本発明ワイヤーハーネスの一例を示し、電線と非防水コネクタの接続部分を示す部分断面図である。図２は本発明ワイヤーハーネスに用いる非防水コネクタの一例を示す分解斜視図である。図１では、非防水コネクタの雌コネクタハウジングのみを示した。図１においてコネクタハウジングのテープ巻きしていない部分を断面で示した。図１及び図２に示すように、非防水コネクタ付きワイヤーハーネス（以下、単にワイヤーハーネスということもある）１は、コネクタハウジングとして雌コネクタハウジング１０に、端子付き電線３が装着されている。雌コネクタハウジングには、内部に端子付き電線の端子を収容するための端子収容室１３と、端子付き電線３の電線３１を導出する電線導出部１４が設けられている。ワイヤーハーネス１は、３本の端子付き電線３の雌端子３１が、３本の端子収容室１３に挿入されて収容されるように形成されている。
【００１６】
ワイヤーハーネス１は、テープ巻き４を有する。端子付き電線３には、複数の電線３２を一纏めにするために、電線３２の周囲にテープを巻き回した結束用のテープ巻き４０が施されている。この電線３２のテープ巻き４０は、雌コネクタハウジング１０の外部の電線３２の周囲部分から、雌コネクタハウジング１０の電線が挿入されている側の端部の周囲部分まで延長されていて、雌コネクタハウジング１０のテープ巻き４１を構成している。ハウジングの部分のテープ巻き４１により、電線３２と雌コネクタハウジング１０は一体化しているので、電線３２の振動を雌コネクタハウジング１０に伝達して吸収させることが可能である。
【００１７】
非防水コネクタ２は、図２に示すように、合成樹脂製の雌コネクタハウジング１０と、該雌コネクタハウジング１０が嵌合可能な筒状の嵌合部２１を有する合成樹脂製の雄コネクタハウジング２０とから構成されている。非防水コネクタ２は、雌コネクタハウジング１０を雄コネクタハウジング２０の嵌合部２１に嵌合させて接続する雄雌嵌合型のコネクタである。
【００１８】
雌コネクタハウジング１０は、端子付き電線３の先端に接続されている断面四角形の筒状の電気接触部を有する雌端子３１を内部に収容可能な端子収容室１３を有する。
【００１９】
更に雌コネクタハウジング１０の嵌合方向の反対側の端部には、各端子収容室１３に連なり、端子付き電線３の電線３２が導出される電線導出部１４が開口している。電線導出部１４は、雌端子３１が挿入可能であり、電線３２の太さよりも大きい開口として形成されている。
【００２０】
端子収容室１３及びそれに連なる電線導出部１４は、雌コネクタハウジング１０の水平方向に３組、並列に設けられている。
【００２１】
端子付きワイヤーハーネス１は、図１に示すように、雌コネクタハウジング１０の端子収容室１３に、端子付き電線３の雌端子３１が挿入され、電線３２が電線導出部１４から外部に導出されている。
【００２２】
雄コネクタハウジング２０には、前記雌端子３１と接触して電気的に接続可能な電気接触部を有する棒状の雄端子２２が内部に収容されている。更に雄端子２２の一方の端部は、雄コネクタハウジング２０の外部に露出していて、外部の機器と接続可能に形成されている。雄コネクタハウジング２０には、三個の雄端子２２が設けられている。雄端子２２は、両コネクタハウジングを嵌合した場合、それぞれ雌コネクタハウジング１０の端子収容室１３に収容される三個の雌端子３１と接触して、それぞれ電気的に接続される。
【００２３】
非防水コネクタ２は、雌コネクタハウジング１０を雄コネクタハウジング２０に嵌合した際に、両コネクタハウジングを係止状態とするためのロック手段が設けられている（図示せず）。ロック手段は、例えばロックアームと付き当て部等から構成することができる。
【００２４】
また非防水コネクタ２は、雄コネクタハウジング２０と雌コネクタハウジング１０の嵌合を容易にするために、ガイド溝と該ガイド溝がスライド嵌合するガイド部が設けられている（図示せず）。
【００２５】
端子付き電線３は、電線３２の導体が絶縁体で被覆された絶縁体の端末を皮剥ぎして露出した導体に、雌端子３１が圧着されている。
【００２６】
ワイヤーハーネスは、図示しないが、上記端子付き電線３が装着されてテープ巻き４０、４１された雌コネクタハウジング１０が、雄コネクタハウジング２０の嵌合部に嵌合されて着脱可能に一体化している。
【００２７】
端子付き電線３、雌コネクタハウジング１０、雄コネクタハウジング２０等は、従来の非防水コネクタとワイヤーハーネスに用いられていた材料をそのまま流用することができる。また、テープ巻きに用いるテープは、ワイヤーハーネスの結束用に使用されているテープをそのまま利用することができる。テープとしては、例えば、ポリ塩化ビニル樹脂（ＰＶＣ）基材に粘着剤層が形成された粘着テープ等を用いることができる。
【００２８】
以下、上記ワイヤーハーネスの製造方法について説明する。まず３本の端子付き電線３を雌コネクタハウジング１０の電線導出部１４から挿入して、各雌端子３１を端子収容室１３へ収容した状態にする。次いで、端子付き電線３の雌コネクタハウジングの外部に出ている３本の電線３２を結束用テープでテープ巻きして、電線のテープ巻き４０を形成する。更に電線のテープ巻き４０から雌コネクタハウジング１０の端部の部分まで延長して、雌コネクタハウジングのテープ巻き４１を行う。
【００２９】
雌コネクタハウジング１０の端子挿入口側の端部からのテープ巻き４１の長さは、雌コネクタハウジング１０からテープ巻き４１が外れない程度に、テープを固定可能な長さに形成すればよい。
【００３０】
以下、上記ワイヤーハーネスの作用について説明する。図３は、雌コネクタハウジングにテープ巻きがなされていない状態のワイヤーハーネスを示す図である。図３に示すワイヤーハーネスは、電線３２０の部分のみにテープ巻き４００を施したものである。
【００３１】
図３に示すように、電線３２０の部分だけテープ巻き４００が施されている。端子付き電線３００の雌端子３１０が雌コネクタハウジング１００に装着された状態では、電線３２０は雌コネクタハウジング１００に固定されていない。電線３２０は、電線導出部１１４の内部で自由に動くことができる。電線３２０に加わる振動は、雌コネクタハウジング１００の内部に挿入されている雌端子３１０に直接、伝わることになる。雌端子３１０に振動が伝わると、雌端子３１０と接触する雄端子との間で接点部の摩耗が発生するのを防止できなくなってしまう。
【００３２】
これに対し図１に示すワイヤーハーネス１では、電線３２の部分のテープ巻き４０から雌コネクタハウジング１０の端部の部分のテープ巻き４１が連続的に巻き回されて一体化されている。電線３２と雌コネクタハウジング１０が連続したテープ巻きにより一体化しているので、電線導出部１４では、電線３２の自由な動きが規制される。また電線３２の振動は雌コネクタハウジング１０に連続したテープ巻きを介して伝達される。電線３２の振動が雌コネクタウジング１０に吸収され、雌端子３１に伝わる電線３２の振動を低減することができる。雌端子３１に直接加わる振動を低減できるので、雄端子２２と雌端子３１の接点部分が振動により摩耗が生じるのを防止すること可能である。
【００３３】
ワイヤーハーネスに用いられる非防水コネクタは、防水コネクタと比較して、端子挿入口にゴム栓を使用しない。ゴム栓を使用しないので、ゴム栓のコストや、ゴム栓を装着する手間や、ゴム栓を他の部材等で固定する手間が不要である。また、電線のテープ巻きは、一般にワイヤーハーネスの結束に使用されているものであり、それを、コネクタハウジングまで延長するだけでよいので、材料のコストや作業の手間を最小に抑制できる。
【００３４】
［振動耐久試験］
図１に示す形態のワイヤーハーネスと、図３に示す形態のワイヤーハーネスについて、雄コネクタハウジングを嵌合して装着した状態で、振動耐久試験を行った。振動耐久試験は、図４に示すように、加振機５０の上にワイヤーハーネス１の非防水コネクタ２と端子付き電線３の端部を固定し、加振機５０を矢印Ｖ方向に下記の条件で振動させた。
【００３５】
振動試験後、端子の接触部分を観察したところ、図１に示す形態の本発明のワイヤーハーネスは、端子の接点部分に異常が見られなかった。これに対し、図３に示す形態の電線部分のみテープ巻きしたワイヤーハーネスは、端子の接点部のめっきが摩耗して母材が露出していた。
【００３６】
［振動条件］
・振動条件：１０Ｇ（２０〜６００Ｈｚ）
・加振時間：３００ｈ
【００３７】
以上、本発明の実施例について詳細に説明したが、本発明は、上記実施例に何ら限定されるものではなく、本発明の趣旨を逸脱しない範囲において、種々の改変が可能である。
【００３８】
例えば、上記実施例では、非防水コネクタ２は雌コネクタハウジング１０に端子付き電線３が装着されるように構成されているが、非防水コネクタとして、雌端子側と雄端子側に端子付き電線が装着されるように構成してもよい。その場合、電線から延長するテープ巻きは、雄コネクタハウジング側又は雌コネクタハウジング側のいずれか一方、或いは両方のいずれに施してもよい。
【００３９】
上記のように雄雌コネクタハウジングの両方に端子付き電線が装着される場合は、雄コネクタハウジング側及び雌コネクタハウジング側の両方に、電線からのテープ巻きを延長するのが、振動吸収効果が大きくなる点から好ましい。
【００４０】
また、上記実施例のワイヤーハーネスは３本の端子付電線を用いたものであるが、３本以外の端子付き電線を用いてもよい。また非防水コネクタについても、収容する端子の数も３本に特に限定されず、３本以外の端子付き電線が収容されていてもよい。また非防水コネクタの端子収容室も３個に限定されず３個以上の端子収容室が形成されていてもよい。
【００４１】
また上記ワイヤーハーネスは、雄コネクタハウジングに端子付き電線が装着された雌コネクタハウジングを嵌合しているが、本発明ワイヤーハーネスは、少なくとも端子付き電線がコネクタハウジングに装着されて電線部分からコネクタハウジング部分にテープ巻きが延長されている構成を有していればよい。
【符号の説明】
【００４２】
１  ワイヤーハーネス
２  非防水コネクタ
３  端子付き電線
４  テープ巻き
１０  雌コネクタハウジング
１３  端子収容室
１４  電線導出部
２０  雄コネクタハウジング
２１  嵌合部
２２  雄端子
３１  雌端子
３２  電線
４１  電線のテープ巻き
４２  ハウジングのテープ巻き
【図１】
2014203607.tif 000003
【図２】
2014203607.tif 000004
【図３】
2014203607.tif 000005
【図４】
2014203607.tif 000006